(57)【要約】【課題】メモリカードの記録内容を容易に確認できるようにする。【解決手段】撮像装置１００は、メモリカード１２０にコネクタ１１３で有線接続し、アンテナ１１６で無線接続できる。カード１２０のブロック２０２はコネクタ１１３から給電される。ブロック２０３は、アンテナ２３４から電磁結合で給電される。電源供給回路２１５は、コネクタ１１３から給電されるとき、選択回路２２２を介してメモリ回路２２１にも給電する。メモリ回路２１４に、大きな容量と電力を必要とする撮影画像の本画像及び大きなサムネイル等を記録する。メモリ回路２２１には、あまり大きな容量も電力も必要としない画像情報（小さなサムネイル、撮影日時情報、記録日時情報及び画像のファイル名情報など）を記録する。【選択図】  図１
2004350160.tif 000002
【特許請求の範囲】
【請求項１】
メモリカードに有線接続可能な有線通信手段と、メモリカードに無線接続可能な無線通信手段と、画像を表示する表示手段とを具備する撮像装置であって、
前記無線通信手段により第１のメモリカードの画像情報を読み出して表示している間に前記第１のメモリカードとの無線通信が切断した場合には、第１の所定期間、前記第１のメモリカードの画像情報を表示しつづけることを特徴とする撮像装置。
【請求項２】
前記無線通信が切断した時に、前記有線通信手段により第２のメモリカードと通信可能な状態にある場合は、前記第１の所定時間より短い第２の所定時間、第２のメモリカードの画像情報を表示することを特徴とする請求項１に記載の撮像装置。
【請求項３】
前記無線通信が切断してから前記第１の所定期間が経過する前に第２のメモリカードと有線通信を開始した場合、前記第１の所定期間内に前記第１のメモリカードの画像情報の表示を終了し、前記第２のメモリカードの画像情報を表示することを特徴とする請求項１に記載の撮像装置。
【請求項４】
前記無線通信が切断してから前記第１の所定期間が経過する前に第３のメモリカードと無線通信を開始した場合、前記第１の所定期間内に前記第１のメモリカードの画像情報の表示を終了し、前記第３のメモリカードの画像情報を表示することを特徴とする請求項１に記載の撮像装置。
【請求項５】
前記無線通信が切断してから前記第１の所定期間が経過する前に本体操作がなされた場合、前記第１の所定期間内に前記第１のメモリカードの画像情報の表示を終了することを特徴とする請求項１に記載の撮像装置。
【請求項６】
メモリカードに優先接続可能な有線通信手段と、メモリカードに無線接続可能な無線通信手段と、画像を表示する表示手段とを具備する撮像装置であって、
前記無線通信手段により第１のメモリカードの画像情報を読み出して表示している間に、前記有線通信手段により第２のメモリカードと通信が可能になった場合には、所定時間だけ第２のメモリカードの画像情報を表示したのちに、再び前記第１のメモリカードの画像情報を表示することを特徴とする撮像装置。
【請求項７】
メモリカードに優先接続可能な有線通信手段と、メモリカードに無線接続可能な無線通信手段と、画像を表示する表示手段とを具備する撮像装置であって、
前記無線通信手段により第１のメモリカードの画像情報を読み出して表示している間に、本体操作なされた場合には、所定時間だけ本体操作に関する情報を表示し、その後、再び前記第１のメモリカードの画像情報を表示することを特徴とした撮像装置。
【請求項８】
前記画像情報は、画像のサムネイル、画像を撮影した日時情報、画像を記録した日時情報及び画像のファイル名等の画像を特定する複数の情報のうちの一つまたは複数からなることを特徴とする請求項１乃至７の何れか１項に記載の撮像装置。
【発明の詳細な説明】
【０００１】
【発明の属する技術分野】
本発明は、メモリカードなどの外部記録装置と通信可能な撮像装置に関する。
【０００２】
【従来の技術】
従来のデジタルカメラでは、撮影した画像をメモリカード（半導体メモリからなる外部記録装置）に記録することができる（例えば、特許文献１、２）。
【０００３】
【特許文献１】
特開平０７−１３５５８９号公報
【特許文献２】
特開２００１−１６９２２４号公報
【発明が解決しようとする課題】
しかしながら、従来のデジタルカメラでは、カードスロットにメモリカードを装着しなければ、それらの記録内容を確認することができず、面倒であった。このような問題は、デジタルカメラに限らず、デジタルビデオカメラ、カメラ付き携帯電話などの撮像装置にも言える問題であった。
【０００４】
本発明は、上述の欠点を解決するもので、カードスロットにカードを装着しなくても容易に記録内容を確認できるようにした撮像装置を提示することを目的とする。
【０００５】
【課題を解決するための手段】
上記の目的を達成するために、本発明に係る撮像装置は、メモリカードに有線接続可能な有線通信手段と、メモリカードに無線接続可能な無線通信手段と、画像を表示する表示手段とを具備するカメラであって、前記無線通信手段により第１のメモリカードの画像情報を読み出して表示している間に前記第１のメモリカードとの無線通信が切断した場合には、第１の所定期間、前記第１のメモリカードの画像情報を表示しつづけることを特徴とする。
【０００６】
【実施例】
以下、図面を参照して、本発明の実施例を詳細に説明する。なお、以下の説明では、画像は、特に限定する場合を除いて、動画像と静止画の何れをも総称して示すものとする。即ち、画像は、静止画のみを示す場合と、動画のみを示す場合と、その両方を一般的に示す場合とがあり、その何れにも本実施例は適用可能である。本実施例は、画像の圧縮方式及びデータ量に関して限定されない。
【０００７】
図１は、本発明の一実施例の概略構成ブロック図を示す。撮像装置１００内の各ユニットはバス１１１を介して接続されており、各ユニットは、ＣＰＵ１０７によって制御される構造になっている。撮像装置１００は、記録モードと再生モードを具備する。なお、撮像装置１００は、デジタルビデオカメラであっても、デジタルカメラ、カメラ付き携帯電話などの装置であってもよい。
【０００８】
まず、記録モードの動作を説明する。撮像装置１００が記録モードで起動すると、フラッシュメモリ１０９に格納されていたプログラムがＲＡＭ１０８の一部にロードされる。ＣＰＵ１０７は、ＲＡＭ１０８にロードされたプログラムに従って動作する。レンズユニット１０１、撮像素子１０２及び撮像信号処理回路１０３は、ＣＰＵ１０７により制御された撮像部制御回路１０４により制御され、後述の撮像動作を行う。被写体からの光は、レンズユニット１０１により撮像素子１０２に結像する。撮像素子１０２に結像された画像は光電変換され、所定周期で読み出される。撮像信号処理回路１０３は、撮像素子１０２から読み出された画像に所定の処理を施し、デジタル画像データ（動画又は静止画）を出力する。
【０００９】
操作スイッチ１０５によりユーザが画像の記録を指示すると、画像圧縮伸長装置１０６は、撮像信号処理回路１０３から出力されるデジタル画像を、たとえばＪＰＥＧ及びＭＰＥＧ等の圧縮方式で圧縮する。圧縮画像データは、一時的にＲＡＭ１０８に格納され、メモリインターフェース１１２及びコネクタ１１３を介して画像記録用のメモリカード１２０に記録される。この際、画像のインデックスを示す画像情報であるサムネイル、画像を撮影した日時情報、画像を記録した日時情報、及び画像のファイル名等も合わせて、メモリカード１２０に記録される。なお、メモリカード１２０は、半導体メモリからなる外部記録媒体である。
【００１０】
再生モードを説明する。撮像装置１００が再生モードで起動すると、フラッシュメモリ１０９に格納されていたプログラムがＲＡＭ１０８の一部にロードされる。ＣＰＵ１０７は、ＲＡＭ１０８にロードされたプログラムに従って動作する。
【００１１】
再生モードで起動すると、メモリカード１２０が図３の動作１のごとくコネクタ１１３（メモリカードスロット）に接続されている場合（有線通信モード）は、メモリカード１２０内の画像情報（サムネイル、日時情報及びファイル名など）が読み出され、図４（Ａ）に示すようにディスプレイ１１０に画像のインデックス情報として表示される。
【００１２】
操作スイッチ１０５によりユーザが画像インデックス情報から特定の画像を選択して表示命令を与えると、ＣＰＵ１０７は、メモリカード１２０からその特定画像の圧縮画像データを読み出す。読み出された圧縮画像データは画像圧縮伸長装置１０６により伸長され、その特定画像がディスプレイ１１０に表示される。
【００１３】
図３に示す動作２のように、メモリカード１２０がアンテナ１１６に対して近づけたり、又は触れたりした場合（無線通信モード）、アンテナ１１６を通してメモリカード１２０に給電される。同時に、アンテナ１１６とメモリカード１２０の間で通信が行われ、変復調器１１５を通してメモリカード１２０内の画像情報（サムネイル、日時情報及びファイル名など）が読み込まれる。ただし、アンテナ１１６を介した通信は、コネクタ１１３を介した通信よりも、通信速度が遅いので、読み込む画像情報の情報量を少なく制限するなどして、通信量を制限する必要がある。ディスプレイ１１０の表示も、コネクタ１１３を通して読み出したときとは異なったものとなる。
【００１４】
図２は、メモリカード１２０及び撮像装置１００の通信部の概略構成ブロック図を示す。メモリカード１２０へのアクセスには、有線通信モードと無線通信モードがある。
【００１５】
有線通信モードを説明する。コネクタ２１１が撮像装置１００のコネクタ１１３と接続されたときに有線通信モードになる。有線通信モードでは、制御回路２１３がカード全体を制御する。制御回路２１３は、通信インターフェース２１２を通して撮像装置１００と通信すると同時に、撮像装置１００からの通信コマンドに従って、メモリ回路２１４及びメモリ回路２２１にデータを読み書きする。
【００１６】
通信動作に先立ち、コネクタ２１１を通して、撮像装置１００のコネクタ１１３から電源の供給を受ける。コネクタ２１１を通った電源は、電源供給回路２１５によりブロック２０２の各部へ供給されると同時に、電源供給選択回路２２２を通してメモリ回路２２１にも供給される。
【００１７】
以上のように、有線通信モードでは、メモリ２１４とメモリ２２１の両方にデータを読み書きすることができる。
【００１８】
無線通信モードを説明する。無線通信モードでは、制御回路２２０がカード全体を制御する。コネクタ２１１を介した有線通信が確立しておらず、かつ、アンテナ２１６，２１７を介して撮像装置１００との間に無線通信が確立しているときには、メモリカード１２０は、無線通信モードで動作する。
【００１９】
後述する無線通信動作に先立ち、撮像装置１００は、アンテナ２１７を介して電磁誘導により、電源供給回路２２３に電源を供給する。
【００２０】
撮像装置１００からメモリカード１２０へ送られるべきデータは、撮像装置１００の変調器２３２により変調され、アンテナ２３４から無線出力される。この無線信号は、メモリカード１２０のアンテナ２１７により受信され、復調器２１９により復調され、撮像装置１００からのデータが制御回路２２０に供給される。一方、制御回路２２０から撮像装置１００へ送られるべきデータは、カード１２０の変調器２１８により変調され、アンテナ２１６から無線出力される。この無線信号は、撮像装置１００のアンテナ２３３で受信され、復調器２３１により復調され、カード１２０からのデータがＣＰＵ１０７に供給される。
【００２１】
無線通信モードでは、電源供給回路２２３からブロック１のみに電源が供給され、同時に、電源供給選択回路２２２を介してメモリ回路２２１にも電源が供給される。制御回路２２０は、メモリ回路２２１にデータを読み書きする。無線通信モードでは、ブロック２のみに給電される。電磁誘導により得られた少ない電力でも、メモリ２２１を読み書きすることが出来る。
【００２２】
このような構成のメモリカード１２０で、主に、メモリ回路２１４を、大きな容量と電力を必要とする撮影画像の本画像及び大きなサムネイル等を記録する用途に用い、メモリ１回路２２１を、あまり大きな容量も電力も必要としない画像情報（小さなサムネイル、撮影日時情報、記録日時情報及び画像のファイル名情報など）を記録するのに使用するのが最適である。しかし、各メモリ回路２１４，２２１は、このような用途の区分けに限定されるものではなく、メモリ回路２１４，２２１にどのようなデータを記録しても構わないのは言うまでもない。
【００２３】
また、メモリ回路２１４、２２１は、フラッシュメモリ、ＥＥＰＲＯＭ及び誘電体メモリなどの不揮発メモリで構成されても構わないし、図示されていないが、バッテリーバックアップされたＳＲＡＭ等でも構わないし、その他、データが保持できるものであれば、メモリに限らず、どのような記憶手段でも構わない。
【００２４】
図９を参照して、メモリカード１２０の起動シーケンスを説明する。Ｓ９０１から開始して、Ｓ９０２でコネクタ２１１を通して電源が供給されているかどうかを判断する。コネクタ２１１を通して電源供給が行われている場合（Ｙ）、Ｓ９０３へと進み、供給が行われていない場合（Ｎ）、Ｓ９０７へと進む。Ｓ９０３では、コネクタ２１１を通して供給された電力を基に電源供給回路２１５からブロック２０２、メモリ２回路２１４及びメモリ回路２２１に電源が供給される。Ｓ９０４では制御回路２１３を起動し、Ｓ９０５では、制御回路２１３の制御指令により、メモリ回路２２１及びメモリ回路２１４のデータを読み書きする共に、外部と有線で通信を行う。以上が有線通信モードへの移行手順である（Ｓ９０６）。
【００２５】
Ｓ９０２でＮの場合、Ｓ９０７で、電磁誘導によりアンテナ２１７を介して電源が供給されているかどうかを判断する。電源供給が行われている場合（Ｙ）、Ｓ９０８へと進み、電源供給が行われていない場合（Ｎ）、Ｓ９１２へと進む。Ｓ９０８では、アンテナ２１７を通して供給された電力を基に電源供給回路２２３からブロック２２３及びメモリ回路２２１に電源が供給される。Ｓ９０９で制御回路２２０を起動し、Ｓ９１０では、制御回路２２０の制御指令によりメモリ回路２２１のデータを読み書きする共に、外部と無線で通信を行う。以上が無線通信モードへの移行手順である（Ｓ９１１）。
【００２６】
Ｓ９０７でＮの場合、Ｓ９１２でカードＯＦＦ状態にされる。
【００２７】
図４（Ａ）は、有線通信モードでディスプレイ１１０に画像情報を表示したときの表示例を示す。有線通信モードでは、比較的高速の通信が出来るので、容量の大きなサムネイルを９個表示している。これに対して、図４（Ｂ）から（Ｅ）は、無線通信モードでの画像情報を表示した表示例を示す。無線通信モードでは、比較的低速の通信しか出来ないので、通信データ量を減らした表示を行う。図４（Ｂ）は、図４（Ａ）に比べて小さなサムネイルを表示した例を示す。図４（Ｃ）は、図４（Ａ）に比べて少ない量のサムネイルを表示した例を示す。図４（Ｄ）は、個々の画像情報では無く、メモリカードの全般的な記録日時及び画像量でメモリカードの記録内容を表示する例を示す。図４（Ｅ）は、個々の画像の日付及びファイル名を表示する例を示す。
【００２８】
メモリカード１２０への書き込み動作を説明する。図５は、撮像装置１００が有線通信モードでメモリカード１２０へデータを書き込む際のアルゴリズムを示す。Ｓ５０１から開始し、Ｓ５０２では、操作スイッチ１０５の一部である撮影ボタン（非表示）が押されるまで、繰り返し待機する。撮影ボタンが押されると、Ｓ５０３へとすすみ、ＣＰＵ１０７により撮像部制御回路１０４を制御して、撮影動作が行われる。次に、Ｓ５０４で、撮影画像データが前述のようにメモリカード内のメモリ回路２１４に記録される。さらに、Ｓ５０５に、容量の大きなサムネイル画像が、前述のようにメモリカード内のメモリ回路２１４に記録される。Ｓ５０５に、容量の小さなサムネイル画像がメモリ回路２２１に記録される。Ｓ５０６では、サムネイル以外の画像情報（撮影日時情報及び画像のファイルネーム情報等）がメモリ回路２２１に記録され、再び、撮影待機状態に入る。
【００２９】
メモリカード１２０からの読み出し動作を説明する。図６は、撮像装置１００が、有線通信モード及び無線通信モードでメモリカードの画像情報をディスプレイ１１０に表示する場合の、ＣＰＵ１０７の動作アルゴリズムを示す。
【００３０】
Ｓ６０１から開始して、Ｓ６０２でメモリカード＃１（以後、複数のカードを識別するために、＃１、＃２、＃３でカードを区別する）が無線通信モードで接続しているかどうかを判別する。無線モードで接続していない場合（Ｎ）、Ｓ６０３へ進み、無線接続している場合（Ｙ）、Ｓ６０５へ進む。
【００３１】
Ｓ６０３では、カードスロットに別カードであるメモリカード＃２が有線通信モードで接続しているかどうかを判別する。有線接続している場合（Ｙ）、Ｓ６０４へ進み、有線接続していない場合（Ｎ）はＳ６０２へと戻る。Ｓ６０４では、メモリカード＃２のメモリ回路２２１とメモリ回路２１４から画像情報を読み出してディスプレイ１１０に表示する。
【００３２】
Ｓ６０２でＹの場合、Ｓ６０５でメモリカード＃１のメモリ回路２２１から画像情報を読み出してディスプレイ１１０に表示する。Ｓ６０６では、メモリカード＃１の無線接続が切断されたかどうかを判別する。無線接続が切断されていない場合（Ｎ）、Ｓ６０５へと戻り、切断された場合（Ｙ）、Ｓ６０７へと進む。
【００３３】
Ｓ６０７では、カードスロットにメモリカード＃２が入っており、有線通信モードで接続しているかどうかを判別する。有線接続をしている場合（Ｙ）、Ｓ６０８へ進み、有線接続をしていない場合（Ｎ）、Ｓ６１０へ進む。
【００３４】
Ｓ６０８では、所定時間Ｔ２だけ待機し、所定時間Ｔ２を経過した後、Ｓ６０９へと進む。Ｓ６０９では、メモリカード＃２のメモリ回路２２１とメモリ回路２１４から画像情報を読み出してディスプレイ１１０に表示する。
【００３５】
一方、Ｓ６０７でＮの場合、Ｓ６１０で所定時間Ｔ１だけ待機し、所定時間Ｔ１を経過した後、Ｓ６１１へと進む。Ｓ６１１では、画像記録カード＃１のメモリ回路２２１の記録情報が表示されているのを消去して終了する。ここで、Ｔ２＜Ｔ１となるように、Ｔ１，Ｔ２が設定されている。つまり、ディスプレイ１１０に次に表示する内容がある場合、短時間（Ｔ２）で表示を行い、表示する内容が無い場合、長時間（Ｔ１）、表示をつづける。
【００３６】
メモリカード１２０からの読み出しの別の動作を説明する。図７は、撮像装置１００が、無線通信モードでメモリカードの画像情報をディスプレイ１１０に表示する場合の、ＣＰＵ１０７の動作アルゴリズムを示す。
【００３７】
Ｓ７０１から開始して、Ｓ７０２で、メモリカード＃１が無線通信モードで接続しているかどうかを判別する。無線モードで接続していない場合（Ｎ）、Ｓ７０２へ戻り、無線接続している場合（Ｙ）、Ｓ７０３へ進む。Ｓ７０３でメモリカード＃１のメモリ回路２２１から画像情報を読み出してディスプレイ１１０に表示する。Ｓ７０４では、メモリカード＃１の無線接続が切断されたかどうかを判別する。無線接続が切断されていない場合（Ｎ）、Ｓ７０３に戻り、切断された場合（Ｙ）、Ｓ７０５に進む。
【００３８】
Ｓ７０５では、新たなメモリカード＃３との無線接続が開始されたかどうかを判別する。開始された場合（Ｙ）、Ｓ７０７へ進み、開始されていない場合（Ｎ）、Ｓ７０６へ進む。
【００３９】
Ｓ７０６では、所定時間Ｔ１だけ待機し、所定時間Ｔ１に達していない場合、Ｓ７０５に戻り、所定時間Ｔ１に達した場合、Ｓ７０７に進む。Ｓ７０７では、画像記録カード＃１のメモリ回路２２１の記憶情報が表示されているのを消去して終了する。つまりは、通信が切断されたときに、次の通信が始まるなど、ディスプレイ１１０に次に表示する内容がある場合は、一定時間（Ｔ１）の表示中でも、直ぐに表示内容を消去する。しかし、まだ次の通信が開始していないなど、表示する内容が無い場合は、一定時間（Ｔ１）、表示をつづける。
【００４０】
メモリカード１２０からの読み出しの更に別の動作を説明する。図８は、撮像装置１００が、有線通信モード及び無線通信モードでメモリカード１２０の画像情報をディスプレイ１１０に表示する場合の、ＣＰＵ１０７の動作アルゴリズムを示す。
【００４１】
Ｓ８０１から開始して、Ｓ８０２でメモリカード＃１が無線通信モードで接続しているかどうかを判別する。無線モードで接続していない場合（Ｎ）、Ｓ８０３に進み、無線接続している場合（Ｙ）、Ｓ８０５に進む。
【００４２】
Ｓ８０３では、カードスロットに別カードであるメモリカード＃２が有線通信モードで接続しているかどうかを判別する。有線接続している場合（Ｙ）、Ｓ８０４に進み、有線接続していない場合（Ｎ）、Ｓ８０２に戻る。Ｓ８０４では、メモリカード＃２のメモリ回路２２１とメモリ回路２１４から画像情報を読み出してディスプレイ１１０に表示する。
【００４３】
Ｓ８０２でＹの場合、Ｓ８０５でメモリカード＃１のメモリ回路２２１から画像情報を読み出してディスプレイ１１０に表示する。Ｓ８０６では、メモリカード＃１の情報を表示中に、有線接続されたメモリカード＃２に関しての本体操作（例えば、サムネイルの選択操作又はページ送りなど）が行われたかどうかを判別する。
【００４４】
本体操作が行われた場合（Ｙ）、Ｓ８０７に進み、本体操作が行われていない場合（Ｎ）、Ｓ８０９に進む。Ｓ８０７では、メモリカード＃２のメモリ回路２２１とメモリ回路２１４から画像情報を読み出してディスプレイ１１０に表示すると共に、本体操作にあわせた表示を行う。Ｓ８０８で所定時間Ｔ４だけ待機したあと、Ｓ８０２に戻り、以上のステップを繰り返す。
【００４５】
Ｓ８０９では、メモリカード＃１の無線接続が切断されたかどうかを判別する。無線接続が切断されていない場合（Ｎ）、Ｓ８０５に戻り、切断された場合（Ｙ）、Ｓ８１０に進む。
【００４６】
Ｓ８１０では、カードスロットにメモリカード＃２が入っており、有線通信モードで接続しているかどうかを判別し、有線接続をしている場合（Ｙ）、Ｓ８１１に進み、有線接続をしていない場合（Ｎ）、Ｓ８１２に進む。Ｓ８１１では、メモリカード＃２のメモリ回路２２１とメモリ回路２１４から画像情報を読み出してディスプレイ１１０に表示する。
【００４７】
一方、Ｓ８１２では、カードスロットにメモリカード＃４が新たに装着されたかどうかを判別する。新たに装着されて有線通信モードで接続を開始した場合（Ｙ）、Ｓ８１３に進み、新たな装着が無い場合（Ｎ）、Ｓ８１４に進む。Ｓ８１４では、何らかの本体操作が行われたかどうかを判別する。本体操作が行われた場合（Ｙ）、Ｓ８０２に戻るが、本体操作が行われていない場合（Ｎ）、Ｓ８１５に進む。
【００４８】
Ｓ８１５では、所定時間Ｔ３だけ待機する。所定時間Ｔ３の待機が完了していない場合（Ｎ）、Ｓ８１２に戻り、所定時間Ｔ３の待機が完了した場合（Ｙ）、Ｓ８１６に進む。Ｓ８１６では、画像記録カード＃１のメモリ回路２２１の記録情報が表示されているのを消去して、終了する。
【００４９】
つまり、無線接続中に別の本体操作が入った場合には、これを優先して、操作に合わせた表示を、所定時間（Ｔ４）だけ行う。また、無線通信切断後に次に表示すべき内容がある場合、前の表示を直ぐに消去する。無線切断後に表示すべき内容が無い場合、一定時間（Ｔ３）の表示をつづける。ただし、表示中に別の操作が入った場合、一定時間（Ｔ３）の表示をキャンセルする。
【００５０】
【発明の効果】
以上の説明から容易に理解できるように、本発明によれば、無線モードと有線モードを具備し、記録再生を高速で行うときは有線モードを用い、画像情報のみを読み出すときは有線モードを用いることで、カメラ本体に触るだけで内容の確認が可能な、極めて使いやすいカメラシステムが実現できる。
【００５１】
さらに、無線で使用する場合には、最小限の電力で駆動できるので、アンテナの小型化と省電力化を実現できる。無線通信で内容を確認するにあたり、カードの切り替わり目で一定時間だけ表示を継続しつづけることで、使い易いユーザインターフェースを実現できる。
【００５２】
さらに、本体に装着されたカードと無線で通信するカードのどちらも使い易いユーザインターフェースを実現できる。
【図面の簡単な説明】
【図１】本発明の一実施例の概略構成ブロック図である。
【図２】メモリカード１２０の概略構成ブロック図である。
【図３】無線通信モードと有線通信モードを説明する模式図である。
【図４】本実施例の表示例である。
【図５】本実施例の動作フローチャートである。
【図６】本実施例の動作フローチャートである。
【図７】本実施例の動作フローチャートである。
【図８】本実施例の動作フローチャートである。
【図９】本実施例の動作フローチャートである。
【符号の説明】
１００：撮像装置
１０１：レンズユニット
１０２：撮像素子
１０３：撮像信号処理回路
１０４：撮像部制御回路
１０５：操作スイッチ
１０６：画像圧縮伸長装置
１０７：ＣＰＵ
１０８：ＲＡＭ
１０９：フラッシュメモリ
１１１：バス
１１２：メモリインターフェース
１１３：コネクタ
１１５：変復調器
１１６：アンテナ
１２０：メモリカード
２０２：ブロック
２１１：コネクタ
２１２：通信インターフェース
２１３：制御回路
２１４：メモリ回路
２１５：電源供給回路
２１６：アンテナ
２１７：アンテナ
２１８：変調器
２１９：復調器
２２０：制御回路
２２１：メモリ回路
２２２：電源供給選択回路
２２３：電源供給回路
２３１：復調器
２３２：変調器
２３３：アンテナ
２３４：アンテナ
【図１】
2004350160.tif 000003
【図２】
2004350160.tif 000004
【図３】
2004350160.tif 000005
【図４】
2004350160.tif 000006
【図５】
2004350160.tif 000007
【図６】
2004350160.tif 000008
【図７】
2004350160.tif 000009
【図８】
2004350160.tif 000010
【図９】
2004350160.tif 000011